(57)【要約】【課題】  通信デバイスが、互いに異なるセグメントに属する端末から、安価でかつ簡単な方法によって、データを取得することを可能にする。【解決手段】  ホスト（１００）から各セグメント（２００）へデータが送信される。各セグメント（２００）のデータ記憶部（２１０Ａ、２０１Ｂ）は、ホスト（１００）から受信したデータを記憶する。各セグメント（２００）のデータ記憶部（２１０Ａ、２０１Ｂ）には、共通のＩＰアドレスが割り当てられている。そのため、無線通信デバイス（３００）は、いずれのセグメント（２００）のデータ記憶部（２１０Ａ、２０１Ｂ）にもアクセスすることができる。【選択図】図１
2019096983.tif 000002
【特許請求の範囲】
【請求項１】
ネットワークにおける互いに異なるセグメントに属する複数の端末と、
前記ネットワークを介して、前記複数の端末にデータを送信するホストと、を備え、
前記複数の端末が共通のアドレスを有する
ことを特徴とするネットワークシステム。
【請求項２】
通信デバイスが、前記ホストから前記複数の端末へ送信されるデータを取得するために、前記共通のアドレスを用いて、前記互いに異なるセグメントに属する端末にアクセス可能であることを特徴とする請求項１に記載のネットワークシステム。
【請求項３】
前記通信デバイスから、前記セグメントに対する接続要求を受け付けた時、前記ホストは前記通信デバイスを認証することを特徴とする請求項２に記載のネットワークシステム。
【請求項４】
前記共通のアドレスは、前記複数の端末の間で共通するＩＰアドレスであることを特徴とする請求項１から３のいずれか１項に記載のネットワークシステム。
【請求項５】
前記複数の端末は、前記ネットワーク内で固有のアドレスも有しており、
前記共通のアドレスは、前記固有のアドレスとは異なるセグメントに属することを特徴とする請求項１から４のいずれか１項に記載のネットワークシステム。
【請求項６】
前記共通のアドレスは、前記複数の端末の間で共通するホスト名であることを特徴とする請求項１から３のいずれか１項に記載のネットワークシステム。
【請求項７】
前記複数の端末は、複数のグループに分かれており、
異なるグループに属する端末は、異なる共通のアドレスを有することを特徴とする請求項１から６のいずれか１項に記載のネットワークシステム。
【請求項８】
前記ホストは複数あり、
前記複数のホストは、互いに異なる端末のグループに対してデータを送信し、
前記端末のグループごとに、前記共通のアドレスが異なることを特徴とする請求項１から７のいずれか１項に記載のネットワークシステム。
【請求項９】
複数のセグメントを含むネットワークシステムの管理方法であって、
前記複数のセグメントには、それぞれ端末が属しており、
前記複数のセグメントにそれぞれ属する複数の端末に、共通のアドレスを設定し、
通信デバイスが、前記共通のアドレスによって、任意のセグメントに属する端末にアクセス可能にする
ことを特徴とする方法。
【発明の詳細な説明】
【技術分野】
【０００１】
本発明は、ネットワークシステムおよびその管理方法に関し、特に、サーバと複数の端末とを備えたネットワークシステムに関する。
【背景技術】
【０００２】
関連するネットワークシステムの一態様は、サーバ（ホスト）と端末（例えば、ＰＣ；Personal Computer）とを備える。サーバは、端末に送信するためのデータを収集または生成する。端末は、定期的に、非定期に、または必要に応じて、サーバにアクセスして、サーバに格納されているデータをダウンロードする。特許文献１には、関連するネットワークシステムの一例が開示されている。
【０００３】
図８は、関連するネットワークシステム９の構成の一例を示す図である。図８に示す関連するネットワークシステム９では、本店のＬＡＮ（Local Area Network）に属するサーバと、支店Ｘ、ＹのＬＡＮに属する端末とが、広域網（WAN(Wide Area Network）を介して通信する。なお、支店の数は２つに限られない。また、広域網は任意の通信ネットワークであってよい。
【０００４】
図８に示すように、関連するネットワークシステム９を構成する全ての機器は、それぞれ、「172.16.x.x」というＩＰアドレスを有する。ＩＰアドレスの「16.」に続く一つ目の「x」は、本店および各支店のＬＡＮにそれぞれ割り当てられているセグメントを示す番号（x:0〜255）である。関連するネットワークシステム９では、ＬＡＮごとに、異なる番号が割り当てられる。関連するネットワークシステム９に他の支店がさらに追加される場合、その支店のＬＡＮには、本社のＬＡＮおよび支店Ｘ、ＹのＬＡＮのいずれとも異なる番号が割り当てられる。ＩＰ（Internet Protocol）アドレス「172.16.x.x」において、セグメントを示す番号に続く２つ目の「x」は、同じＬＡＮに属する機器同士を区別するための番号（x:0〜255）である。
【０００５】
このような構成を備えたことで、関連するネットワークシステム９では、全ての機器が互いに異なる固有のＩＰアドレスを有する。図８では、各機器の横に、それぞれのＩＰアドレスの一例を示している。
【０００６】
図８に示すように、ユーザは無線通信デバイス９００を所持している。無線通信デバイス９００は、ユーザの所属先の支店のＬＡＮに予め登録されている。ユーザは、無線通信デバイス９００を用いて、所属先の支店のＬＡＮに無線接続することによって、当該支店の端末から、データを取得することができる。
【先行技術文献】
【特許文献】
【０００７】
【特許文献１】特開２０１０−１７６６１６号公報
【発明の概要】
【発明が解決しようとする課題】
【０００８】
図８に示す関連するネットワークシステム９において、ユーザが所持する無線通信デバイス９００は、支店ＸのＬＡＮに予め登録されているとする。このユーザが、支店Ｙの近傍に来ており、支店Ｙの端末から、データを取得したいと考えたとする。ところが、支店２の端末のＩＰアドレス（「172.16.11.1」）は、支店Ｘの端末のＩＰアドレス（「172.16.10.1」）とは異なる。そのため、無線通信デバイス９００は、支店Ｙの端末にアクセスすることができず、したがって、支店Ｙの端末からデータを取得することができない。
【０００９】
ユーザは、例えば、支店Ｙの端末のある場所まで出向いて、ＵＳＢ（Universal Serial Bus）メモリ等の記録媒体へ端末のデータをコピーして持ち出し、記録媒体から無線通信デバイス９００へ、データを移動させることができる。しかしながら、この方法では、ユーザの手間がかかるし、またセキュリティの面で問題がある。
【００１０】
あるいは、無線通信デバイス９００がモバイルネットワークに接続可能である場合、無線通信デバイス９００は、モバイルネットワークを経由して、サーバにアクセスすることができる。しかしながら、モバイルネットワークの利用には、高額な通信料金がかかるため、この解決案は望ましくない。
【００１１】
本発明の目的は、ネットワークシステムにおいて、通信デバイスが、互いに異なるセグメントに属する端末から、安価でかつ簡単な方法によって、データを取得できるようにすることにある。
【課題を解決するための手段】
【００１２】
本発明の一態様に係わるネットワークシステムは、ネットワークにおける互いに異なるセグメントに属する複数の端末と、前記ネットワークを介して、前記複数の端末にデータを送信するホストと、を備え、前記複数の端末が共通のアドレスを有する。
【００１３】
本発明の一態様に係わるネットワークシステムの管理方法は、複数のセグメントを含むネットワークシステムの管理方法であって、前記複数のセグメントには、それぞれ端末が属しており、前記複数のセグメントにそれぞれ属する複数の端末に、共通のアドレスを設定し、通信デバイスが、前記共通のアドレスによって、任意のセグメントに属する端末にアクセス可能にする。
【発明の効果】
【００１４】
本発明の一態様によれば、通信デバイスが、互いに異なるセグメントに属する端末から、安価でかつ簡単な方法によって、データを取得することができる。
【図面の簡単な説明】
【００１５】
【図１】実施形態１に係わるネットワークシステムの構成を示すブロック図である。
【図２】実施形態１に係わるネットワークシステムの一実施例と第１の動作を示す概略図である。
【図３】実施形態１に係わるネットワークシステムの一実施例と第２の動作を示す概略図である。
【図４】実施形態２に係わるネットワークシステムの一実施例の概略図である。
【図５】実施形態３に係わるネットワークシステムの一実施例の概略図である。
【図６】実施形態３の一変形例に係わるネットワークシステムの一実施例の概略図である。
【図７】実施形態４に係わるネットワークシステムの構成を示すブロック図である。
【図８】関連する技術を説明する図である。
【発明を実施するための形態】
【００１６】
［実施形態１］
図１〜図３を参照して、本発明の実施形態１について説明する。
【００１７】
（ネットワークシステム１の構成）
図１は、本実施形態に係わるネットワークシステム１の構成を示すブロック図である。ネットワークシステム１は、ネットワーク４００を介して接続されたコンピュータシステムの全体を指す。また、ネットワークシステム１は、広域網４００（ＷＡＮ； Wide Area Network）を実現する通信インフラ、および、その通信インフラによって実現される通信も含む。
【００１８】
図１に示すように、ネットワークシステム１は、ホスト１００、第１のネットワークセグメント２００Ａ、第２のネットワークセグメント２００Ｂ、および無線通信デバイス３００を含む。ネットワークセグメントとは、有線または無線によって、広域網４００を介さずに機器同士を通信可能にしたネットワークのことである。ネットワークセグメントとは、ここでは、ＬＡＮのことを指す。しかしながら、ネットワークセグメントは、ＶＬＡＮ（Virtual LAN）であってもよい。この場合、ネットワークセグメントは、スイッチ機器によって設定されたセグメント内におけるネットワークのことを指す。
【００１９】
ネットワークシステム１は、３つ以上のネットワークセグメントを含んでいてもよいし、複数の無線通信デバイス３００を含んでいてもよい。以下では、第１のネットワークセグメント２００Ａおよび第２のネットワークセグメント２００Ｂ（およびその他のネットワークセグメント）を合わせて、ネットワークセグメント２００と呼ぶ。
【００２０】
（ホスト１００）
ホスト１００は、データ送信部１１０およびデータ記憶部１２０を備える。データ記憶部１２０は、ネットワークセグメント２００に送信するためのデータを記憶している。データ送信部１１０は、データ記憶部１２０に記憶されているデータを取得して、取得したデータをネットワークセグメント２００へ送信する。
【００２１】
ホスト１００は、例えば、図示しない外部の装置から受信したデータを、データ記憶部１２０に格納していてもよいし、あるいは、ネットワークセグメント２００から受信したデータを、データ記憶部１２０に格納していてもよい。データ送信部１１０は、定期的に、データ記憶部１２０が記憶するデータをネットワークセグメント２００へ送信してもよいし、データ記憶部１２０が記憶するデータが更新されるたびに、不定期的に、データ記憶部１２０から取得した最新のデータを、ネットワークセグメント２００へ送信してもよい。
【００２２】
（ネットワークセグメント２００）
ネットワークセグメント２００は、データ記憶部２１０Ａ（２１０Ｂ）、データ受信部２２０Ａ（２２０Ｂ）、ＩＰアドレス記憶部２３０Ａ（２３０Ｂ）、および無線通信部２４０Ａ（２４０Ｂ）を備えている。なお、「データ記憶部２１０Ａ（２１０Ｂ）」という記載は、ここでは「データ記憶部２１０Ａまたはデータ記憶部２１０Ｂ」を意味している。「データ受信部２２０Ａ（２２０Ｂ）」等の意味も同じである。
【００２３】
データ受信部２２０Ａ（２２０Ｂ）は、ネットワーク４００を介してホスト１００に接続して、データ送信部１１０から送信されるデータを受信する。データ記憶部２１０Ａ（２１０Ｂ）は、データ受信部２２０Ａ（２２０Ｂ）がホスト１００から受信したデータを記憶する。
【００２４】
ＩＰアドレス記憶部２３０Ａ（２３０Ｂ）は、固有ＩＰアドレスを記憶している。固有ＩＰアドレスは、ネットワークセグメント２００を構成する全ての機器に割り当てられている。ネットワークシステム１において、固有ＩＰアドレスは機器毎に異なる。ＩＰアドレス記憶部２３０Ａ（２３０Ｂ）は、さらに、共通ＩＰアドレスも記憶している。後に詳細に説明するが、共通ＩＰアドレスは、無線通信デバイス３００がどのネットワークセグメント２００のデータ記憶部２１０Ａ（２１０Ｂ）からでも簡単にデータを取得することができるように準備された、特別なＩＰアドレスである。
【００２５】
無線通信部２４０は、無線通信デバイス３００と無線通信を行い、データ記憶部２１０Ａ（２１０Ｂ）が記憶しているデータを、無線通信デバイス３００へ送信する。なお、無線通信部２４０が無線通信デバイス３００と無線通信するために利用する無線の規格は問わないが、例えば、一般的な「IEEE 802.11」が用いられてもよい。
【００２６】
（無線通信デバイス３００）
無線通信デバイス３００は、ネットワークセグメント２００の無線通信部２４０Ａ（２４０Ｂ）と無線通信して、無線通信部２４０Ａ（２４０Ｂ）から、データ記憶部２１０Ａ（２１０Ｂ）に格納されているデータを受信する。
【００２７】
無線通信デバイス３００は、持ち運び可能である。あるいは、無線通信デバイス３００は、自動車などの移動可能な機械に搭載されていてもよい。無線通信デバイス３００は、例えば、カーナビゲーション装置、タブレット端末、スマートフォン、ノートパソコン、もしくはＰＤＡ（Personal Digital Assistant）であってよい。
【００２８】
（実施例）
ネットワークシステム１の一実施例として、ここでは、消防で利用されるネットワークシステムについて説明する。
【００２９】
図２は、ネットワークシステム１の一実施例と第１の動作を示す概略図である。図２に示すように、ネットワークシステム１は、「本店」、複数の「支店（１、２）」、無線通信デバイス３００、および広域網を含む。ここでいう「本店」とは、サーバのある場所のことである。サーバが消防本部にある場合、消防本部が「本店」に該当する。しかしながら、サーバはクラウドサーバであってもよい。その場合、「本店」は広域網上に分散している。また、「支店」とは、例えば消防署のことである。各「支店」には、「本店」のサーバからデータを受信するための端末（例えば、ＰＣ）が配置されている。
【００３０】
図２に示すように、「本部」は、サーバおよびルータを備えている。「本部」は、図１のホスト１００に対応する。図２に示す「支店」は、ルータ、端末、および無線ルータを備えている。「支店」は、図１のネットワークセグメント２００に対応する。以下では、「本部」に、ホスト１００と同じ符号１００を付与し、「支店」には、ネットワークセグメント２００と同じ符号２００を付与する。また、「広域網」には、図１のネットワーク４００と同じ符号を付与する。
【００３１】
本店１００のルータは、図１に示すホスト１００のデータ送信部１１０を含む。本店１００のサーバは、図１に示すデータ記憶部１２０を含む。
【００３２】
支店２００のルータは、図１に示すネットワークセグメント２００のデータ受信部２２０Ａ（２２０Ｂ）およびＩＰアドレス記憶部２３０Ａ（２３０Ｂ）を含む。あるいは、本店１００のルータは、少なくとも、ＩＰアドレス記憶部２３０Ａ（２３０Ｂ）が記憶している共通ＩＰアドレスおよび固有ＩＰアドレスの情報を参照することができる。
【００３３】
支店２００の端末は、図１に示すネットワークセグメント２００のデータ記憶部２１０Ａ（２１０Ｂ）を含む。支店２００の無線ルータは、図１に示すネットワークセグメント２００の無線通信部２４０Ａ（２４０Ｂ）を含む。
【００３４】
（固有ＩＰアドレスと共通ＩＰアドレス）
前述したように、ネットワークシステム１を構成する各機器は、互いに異なるＩＰアドレス（固有ＩＰアドレス）を有する。図２に示すように、ネットワークシステム１において、本店１００を構成する各機器（サーバ、ルータ）には、それぞれ、同じセグメントに属する固有ＩＰアドレス（「172.16.1.x」（「x」の値は機器ごとに異なる））が与えられている。また、支店Ａを構成する機器（ルータ、端末、無線ルータ）には、それぞれ、本店１００の機器とは別のセグメントに属する固有ＩＰアドレス（「172.16.10.x」）が与えられている。支店Ｂを構成する機器（ルータ、端末、無線ルータ）には、それぞれ、さらに別のセグメントに属する固有ＩＰアドレス（「172.16.11.x」）が与えられている。
【００３５】
このように、ネットワークシステム１を構成する各機器の固有ＩＰアドレスが重複していないことで、広域網４００を介して、ＩＰアドレスに基づく機器間の通信が可能になる。
【００３６】
さて、図２に示すように、支店Ａ、支店Ｂの端末は、それぞれ、固有ＩＰアドレスとは別のＩＰアドレス（「192.168.1.250」）も有している。このＩＰアドレス（「192.168.1.250」）は、支店Ａの端末と、支店Ｂの端末との間で共通である。以下では、このＩＰアドレス（「192.168.1.250」）のことを、共通ＩＰアドレスと呼ぶ。前述したように、ネットワークセグメント２００のＩＰアドレス記憶部２３０Ａ（２３０Ｂ）（図１参照）が、共通ＩＰアドレスを記憶している。本実施例では、支店Ａ、Ｂのルータが、それぞれ、共通ＩＰアドレスの情報を記憶している。
【００３７】
（無線通信デバイス３００が端末からデータを取得する方法）
図２および図３を参照して、無線通信デバイス３００が、支店Ａまたは支店Ｂの端末へアクセスして、端末に格納されているデータを取得する方法を説明する。図３は、図２と同じネットワークシステム１の一実施例を示す概略図である。
【００３８】
図２に示すように、ユーザは支店Ａ内またはその近傍にいる。無線通信デバイス３００は、支店Ａの無線ルータの通信範囲内にある。無線通信デバイス３００は、端末の共通ＩＰアドレスと同じセグメントに属するＩＰアドレス（「192.168.1.0/24」）を有しており、また、端末の共通ＩＰアドレス（「192.168.1.250」）の情報（以下、共通ＩＰアドレス情報と呼ぶ）が、予め登録されている。無線通信デバイス３００は、支店ＡのＬＡＮに接続できたとき、共通ＩＰアドレス情報を用いて、支店Ａの端末にアクセスする。そして、無線通信デバイス３００は、端末に格納されているデータを取得することができる。なお、無線通信デバイス３００の台数に応じて、無線通信デバイス３００のＩＰアドレス（「192.168.1.0/24」）の「/」の後の値は、ビットマスク処理によって、２３、２４、２５、・・・と変更してもよい。
【００３９】
図３に示すように、ユーザは支店Ｂまたはその近傍を訪れている。ユーザは、無線通信デバイス３００を所持したまま、支店ＢのＬＡＮに接続できる位置（すなわち支店Ｂの無線ルータの通信範囲内）まで移動する。無線通信デバイス３００は、支店ＢのＬＡＮの無線ルータからの無線信号を検出して、支店ＢのＬＡＮに接続する。そして、無線通信デバイス３００は、共通ＩＰアドレス情報によって、支店２の端末にアクセスして、データを取得する。
【００４０】
図８に示す関連するネットワークシステム９においても、無線通信デバイス９００が支店１のＬＡＮに登録されていれば、無線通信デバイス９００が支店１の端末にアクセスすることは可能である。しかしながら、無線通信デバイス９００は、支店２の端末にアクセスすることは不可能である。その理由は、無線通信デバイス９００は、支店１の端末の固有ＩＰアドレスが属するセグメントの情報によって、支店１のＬＡＮに接続するが、支店２の端末の固有ＩＰアドレスが属するセグメント（「172.16.11」）は、支店１の端末の固有ＩＰアドレスが属するセグメント（「172.16.10」）とは異なるからである。
【００４１】
一方、本実施例では、無線通信デバイス３００は、支店Ａおよび支店Ｂのどちらの端末にも、アクセスすることができる。その理由は、支店Ａ、Ｂの端末は、共通ＩＰアドレス（「192.168.1.250」）を有しており、無線通信デバイス９００は、共通ＩＰアドレス情報を用いて、支店Ａ、ＢのＬＡＮに接続するからである。なお、ネットワークシステム１がより多くの支店を含んでいる場合、無線通信デバイス３００は、それらの支店の端末にも、共通ＩＰアドレス情報を用いてアクセスすることができる。
【００４２】
（本実施形態１の効果）
本実施形態１の構成によれば、全てのネットワークセグメント２００（図２、図３の支店Ａ、Ｂ）が、データ記憶部２１０Ａ（２１０Ｂ）（図２、図３の端末）にアクセスするための共通ＩＰアドレスを記憶している。無線通信デバイス３００には、データ記憶部２１０Ａ（２１０Ｂ）（図２、図３の端末）の共通ＩＰアドレスのセグメントの情報（共通ＩＰアドレス情報）が予め登録されている。そのため、無線通信デバイス３００は、共通ＩＰアドレス情報を用いて、いずれのネットワークセグメント２００（図２、図３の支店Ａ、Ｂ）のデータ記憶部２１０Ａ（２１０Ｂ）にもアクセスして、データを取得することができる。
【００４３】
また、関連する技術では、端末のアクセスポイント間の移動（ハンドオーバー）を実現させるために、無線ＬＡＮコントローラを使用することが必須であった。一方、本実施形態の構成によれば、無線ＬＡＮコントローラなしで上記の機能を実現させることができるという利点がある。
【００４４】
［実施形態２］
本実施形態２では、前記実施形態１で説明した構成において、無線通信デバイスが一部または全部のネットワークセグメントのデータ記憶部へアクセスすることを、一時的または永続的に不可能にする。本実施形態２の構成は、図１に示すネットワークシステム１に含まれる一部または全部のネットワークセグメント２００のＩＰアドレス記憶部２３０Ａ（２３０Ｂ）から、共通ＩＰアドレスを削除することによって実現される。
【００４５】
（ネットワークシステム２の構成）
図４を参照して、本実施形態２の一実施例を説明する。本実施例に係わるネットワークシステム２は、前記実施形態１で説明したネットワークシステム１の実施例（図２、図３参照）と同じ構成である。本実施例でも、最初、支店Ａおよび支店Ｂのルータは、どちらも、端末の共通ＩＰアドレス（「192.168.1.250」）を記憶している。無線通信デバイス３００は、共通ＩＰアドレス情報（「192.168.1.250」）を用いて、支店Ａおよび支店Ｂのどちらの端末にも、アクセスすることが可能である。
【００４６】
図４に示すように、支店Ａのネットワークセグメント２００Ａから、端末の共通ＩＰアドレス（「192.168.1.250」）を削除する。共通ＩＰアドレスの削除のトリガーは、支店Ａのネットワークセグメント２００Ａの管理権限を持つ者による指示であってよい。これにより、無線通信デバイス３００は、共通ＩＰアドレス情報を用いて、支店Ａの端末にアクセスすることができなくなる。同じように、支店Ｂのネットワークセグメント２００Ｂから、端末の共通ＩＰアドレス（「192.168.1.250」）を削除することにより、無線通信デバイス３００は、共通ＩＰアドレス情報を用いて、支店Ｂの端末にアクセスすることもできなくなる。
【００４７】
例えば、ユーザが無線通信デバイス３００を紛失した場合に、支店Ａ、Ｂのネットワークセグメント２００から、端末の共通ＩＰアドレスを削除してもよい。これにより、無線通信デバイス３００を不正に取得した第三者が、支店Ａまたは支店Ｂの端末に簡単にアクセスすることを防止することができる。
【００４８】
（変形例１；共通ＩＰアドレスの変更）
支店Ａおよび支店Ｂのネットワークセグメント２００から、端末の共通ＩＰアドレス（「192.168.1.250」）が削除されることによって、共通ＩＰアドレス情報を用いる全ての無線通信デバイス３００が、支店Ａおよび支店Ｂの端末にアクセスすることができなくなる。その結果、ユーザの不便になることが考えられる。
【００４９】
そこで、一変形例では、削除した共通ＩＰアドレス（「192.168.1.250」）とは異なる、端末の新たな共通ＩＰアドレスを、支店Ａおよび支店Ｂのネットワークセグメント２００に再設定する。また、無線通信デバイス３００に、新たな共通ＩＰアドレスのセグメントの情報（新たな共通ＩＰアドレス情報）を新規登録する。これにより、無線通信デバイス３００は、新たな共通ＩＰアドレス情報を用いて、支店Ａおよび支店Ｂの各端末にアクセスすることが再び可能になる。
【００５０】
（変形例２；共通ＩＰアドレスの復活）
一変形例では、支店Ａおよび支店Ｂのネットワークセグメント２００から、共通ＩＰアドレスを削除した後、任意のトリガーに応じて、削除した共通ＩＰアドレスを復活させてもよい。本変形例の構成は、例えば、無線通信デバイス３００が支店Ａおよび支店Ｂの端末へアクセスすることを一時的に不可能にした後で、再び可能にする場合に適用することができる。
【００５１】
（本実施形態の効果）
本実施形態の構成によれば、支店のネットワークセグメントから、任意のトリガーに応じて、端末の共通ＩＰアドレスを削除する。これにより、無線通信デバイスが、共通ＩＰアドレス情報を用いて支店の端末にアクセスすることを、簡単に不可能にすることができる。
【００５２】
［実施形態３］
本実施形態３では、無線通信デバイスごとに、アクセス可能な端末が異なる。
【００５３】
（ネットワークシステム３の構成）
図５は、本実施形態３に係わるネットワークシステム３の構成を示す図である。本実施形態３に係わるネットワークシステム３は、支店Ａ、Ｂのネットワークセグメント２００Ｘと、支店Ｃ、Ｄのネットワークセグメント２００Ｙとを含む。支店Ａ、Ｂの端末と、支店Ｃ、Ｄの端末とは、互いに異なる共通ＩＰアドレスを有している。図５に示すように、支店Ａ、Ｂの端末の共通ＩＰアドレスは、「192.168.1.250」である。一方、支店Ｃ、Ｄの端末の共通ＩＰアドレスは、「192.168.2.250」である。
【００５４】
ネットワークセグメント２００Ｘ、２００Ｙの構成は、前記実施形態１で説明したネットワークセグメント２００の構成と同じである。図５では、支店Ａ、Ｂのネットワークセグメント２００Ｘと、支店Ｃ、Ｄのネットワークセグメント２００Ｙとを、それぞれ、１つだけ示しているが、実際には、支店Ａ、支店Ｂは、それぞれ、ネットワークセグメント２００Ｘを有しており、支店Ｃ、支店Ｄは、それぞれ、ネットワークセグメント２００Ｙを有している。
【００５５】
図５では、第１のユーザが、無線通信デバイス３００Ａを用いて、支店Ａ、Ｂの端末にアクセスしようとしている。また、第２のユーザは、無線通信デバイス３００Ｂを用いて、支店Ｃ、Ｄの端末にアクセスしようとしている。なお、無線通信デバイス３００Ａ、３００Ｂの構成は、前記実施形態１で説明した無線通信デバイス３００の構成と同じである。
【００５６】
図５に示すように、第１のユーザが所持する無線通信デバイス３００Ａは、支店Ａ、Ｂの端末の共通ＩＰアドレス（「192.168.1.250」）と同じセグメントに属するＩＰアドレス（「192.168.1.0/24」）を有し、また、共通ＩＰアドレス情報として、支店Ａ、Ｂの端末の共通ＩＰアドレス（「192.168.1.250」）に対応する共通アドレス情報のみが登録されている。一方、第２のユーザが所持する無線通信デバイス３００Ｂは、支店Ｃ、Ｄの端末の共通ＩＰアドレス（「192.168.2.250」）と同じセグメントに属するＩＰアドレス（「192.168.2.0/24」）を有し、また、支店Ｃ、Ｄの端末の共通ＩＰアドレス（「192.168.2.250」）に対応する共通ＩＰアドレス情報のみが登録されている。
【００５７】
したがって、無線通信デバイス３００Ａは、支店Ａ、Ｂの端末にのみアクセスすることが可能であり、無線通信デバイス３００Ｂは、支店Ｃ、Ｄの端末にのみアクセスすることが可能である。換言すれば、無線通信デバイス３００Ａは、支店Ｃ、Ｄの端末にアクセスすることを制限される一方、無線通信デバイス３００Ｂは、支店Ａ、Ｂの端末にアクセスすることを制限される。
【００５８】
本実施形態の構成は、例えば、支店Ａ、Ｂのグループと、支店Ｃ、Ｄのグループとが、管轄の異なる地域に分かれている場合に適用可能である。この場合、支店のグループごとに、端末の共通ＩＰアドレスが異なっていてよい。無線通信デバイス３００Ａ、３００Ｂには、無線通信デバイス３００Ａ、３００Ｂが専ら使用される地域に応じて、共通ＩＰアドレス情報を登録する。例えば、無線通信デバイス３００Ａには、第１のユーザの所属先の支店（ＡまたはＢ）が属するグループの共通ＩＰアドレスに対応する共通ＩＰアドレス情報が登録される。これにより、第１のユーザ（無線通信デバイス３００Ａ）は、第１のユーザの所属先の支店と同じ地域にある支店であれば、どの支店の端末にも、自由にアクセスすることができる。しかしながら、第１のユーザ（無線通信デバイス３００Ａ）は、第１のユーザの所属先の支店と異なる地域にある支店（ＣまたはＤ）の端末にアクセスすることは制限される。
【００５９】
（変形例１；共通ＩＰアドレスの追加）
一変形例では、本実施形態３の構成において、任意の支店のネットワークセグメントに、端末の共通ＩＰアドレスが追加されてもよい。
【００６０】
図６は、本変形例を説明する図である。図６に示すネットワークシステム３´は、図５に示すネットワークシステム３と同じ構成である。図６では、支店Ａ、Ｂのネットワークセグメント２００Ｘに、２つ目の共通ＩＰアドレス（「192.168.2.250」）が追加されている。追加された共通ＩＰアドレスは、支店Ｃ、Ｄの端末の共通ＩＰアドレス（「192.168.2.250」）である。これにより、無線通信デバイス３００Ｂが、共通ＩＰアドレス情報（「192.168.2.250」）を用いて、支店Ａ、Ｂの端末にアクセスすることができるようになる。
【００６１】
共通ＩＰアドレスの追加のトリガーは、例えば、支店Ａ、Ｂのネットワークセグメント２００Ｘの管理権限を持つ者による指示であってよい。同じように、支店Ｃ、Ｄのネットワークセグメント２００Ｙに、支店Ａ、Ｂの端末の共通ＩＰアドレス（「192.168.1.250」）を追加することにより、無線通信デバイス３００Ａは、共通ＩＰアドレス情報を用いて、支店Ｃ、Ｄの端末にアクセスすることができるようになる。
【００６２】
（変形例２；共通ＩＰアドレスの移動）
前記実施形態２で説明した、共通ＩＰアドレスを削除する構成（図４参照）と、本実施形態３の変形例１の構成（図６参照）とを組み合わせることによって、支店のネットワークセグメントの間で、端末の共通ＩＰアドレスを移動することもできる。
【００６３】
具体的には、まず、変形例１で説明したように、支店Ｃ、Ｄの端末の共通ＩＰアドレスを、支店Ａ、Ｂのネットワークセグメント２００Ｘに追加する。その後、前記実施形態２で説明したように、支店Ｃ、Ｄのネットワークセグメント２００Ｙから、支店Ｃ、Ｄの端末の共通ＩＰアドレスを削除する。その結果、無線通信デバイス３００Ｂは、支店Ａ、Ｂの端末にアクセス可能になる一方、支店Ｃ、Ｄの端末にアクセスすることは不可能になる。
【００６４】
本変形例の構成は、例えば、無線通信デバイス３００Ｂを所持する第２のユーザが、支店Ｃまたは支店Ｄから、支店Ａまたは支店Ｂへ異動するときに適用可能である。このとき、第２のユーザは、無線通信デバイス３００Ｂに保存していたデータを、別の無線通信デバイスへ移動させる必要がない。
【００６５】
（本実施形態の効果）
本実施形態の構成によれば、支店のグループごとに、共通ＩＰアドレスが異なる。無線通信デバイスは、登録された共通ＩＰアドレス情報を用いて、一部または全部の支店のグループの端末にアクセスすることができる。また、無線通信デバイスごとに、アクセス可能な端末を異ならせることができる。
【００６６】
逆に、変形例１において説明したように、異なる地域にある支店の間で、端末の共通ＩＰアドレスを同じにすることで、ユーザ（無線通信デバイス）は、所属先の支店がある地域とは異なる地域にある支店の端末にもアクセスすることが可能になる。
【００６７】
［その他の変形例］
以下で説明する変形例は、前記実施形態１~３およびその変形例のいずれの構成にも、適用することができる。
【００６８】
（１）支店（２００、２００Ｘ、２００Ｙ）のルータには、無線通信デバイス（３００、３００Ａ、３００Ｂ）のゲートウェイと同じセグメントに属するＩＰアドレスを設定しないことが望ましい。また、無線通信デバイス（３００、３００Ａ、３００Ｂ）には、デフォルトゲートウェイを設定しないことが望ましい。これにより、無線通信デバイス（３００、３００Ａ、３００Ｂ）から広域網（４００）へ、パケットが流れることを確実に防止することができる。したがって、ネットワークシステム（１、２、３、３´）のセキュリティ性能が向上する。
【００６９】
（２）サーバを備えた本店（１００）が、地域ごとまたは管轄ごとに存在してもよい。各本店（１００）は、地域内または管轄下にある支店（２００、２００Ｘ、２００Ｙ）のグループのみへ、データを送信する。支店（２００、２００Ｘ、２００Ｙ）のグループごとに、それぞれ共通ＩＰアドレスを設定する。
【００７０】
（３）無線通信デバイス（３００、３００Ａ、３００Ｂ）が、支店（２００、２００Ｘ、２００Ｙ）のいずれかのＬＡＮへの接続を要求してきた際に、ＲＡＤＩＵＳ（Remote Authentication Dial In User Service）認証を行ってもよい。この構成では、支店（２００、２００Ｘ、２００Ｙ）の無線ルータが、ＲＡＤＩＵＳクライアントとして、無線通信デバイス（３００、３００Ａ、３００Ｂ）からの認証要求を受け付けて、本店（１００）のサーバが、ＲＡＤＩＵＳサーバとして、無線通信デバイス３００が支店（２００、２００Ｘ、２００Ｙ）のＬＡＮに接続することを許可するかどうかを決定する。
【００７１】
（４）無線通信デバイス（３００、３００Ａ、３００Ｂ）は、ＳＩＭ（Subscriber Identity）カードを搭載しており、無線ＬＡＮに加えて、モバイルネットワークにも接続可能であってもよい。この場合、無線通信デバイス（３００、３００Ａ、３００Ｂ）は、支店（２００、２００Ｘ、２００Ｙ）の近くでは、無線ＬＡＮ経由で、支店（２００、２００Ｘ、２００Ｙ）の端末にアクセスする一方、支店（２００、２００Ｘ、２００Ｙ）から離れたところでは、モバイルネットワーク経由で、支店（２００、２００Ｘ、２００Ｙ）の端末にアクセスしてもよい。
【００７２】
（５）本店は、ＤＮＳ（domain name system）サーバを備えており、各支店（２００、２００Ｘ、２００Ｙ）の端末の固有ＩＰアドレスに、共通するホスト名を対応付けてもよい。この構成では、無線通信デバイス３００は、共通ＩＰアドレスの代わりに、共通するホスト名を用いて、各支店（２００、２００Ｘ、２００Ｙ）の端末にアクセスすることができる。
【００７３】
［実施形態４］
本実施形態４では、実施可能な最小構成で実現されるネットワークシステムについて説明する。
【００７４】
（ネットワークシステム４の構成）
図７は、本実施形態に係わるネットワークシステム４の構成を示すブロック図である。図７に示すように、ネットワークシステム４は、ネットワーク４０における互いに異なるセグメントに属する複数の端末４１と、ネットワーク４０を介して、複数の端末４１にデータを送信するホスト４２と、を備えている。図７には、３つの端末４１（第１の端末から第３の端末）が例示されている。複数の端末４１は、共通のアドレスを有する。共通のアドレスとは、例えば、前記実施形態１〜３において説明したように、共通するＩＰアドレスであってもよいし、共通のホスト名であってもよい。
【００７５】
本実施形態の構成によれば、共通のアドレスの情報を有する通信デバイスが、その情報を用いて、複数の端末にアクセスすることができる。したがって、通信デバイスは、互いに異なるセグメントに属する端末から、安価でかつ簡単な方法によって、データを取得することができる。
【符号の説明】
【００７６】
４１  端末
４２、１００  ホスト
２００、２００Ｘ、２００Ｙ  ネットワークセグメント
４０、４００  ネットワーク
【図１】
2019096983.tif 000003
【図２】
2019096983.tif 000004
【図３】
2019096983.tif 000005
【図４】
2019096983.tif 000006
【図５】
2019096983.tif 000007
【図６】
2019096983.tif 000008
【図７】
2019096983.tif 000009
【図８】
2019096983.tif 000010